(57)【要約】【課題】遠心送風機の構造を改善して送風性能を向上させ、且つ、騒音を低減できる除湿機を提供する。【解決手段】吸入口と吐出口を有する本体と、空気の循環のために前記本体の内部に設置される遠心ファンとを備え、特に、前記遠心ファンは、ファンモーターに結合して回転するファンディスクを備え、前記ファンディスクは、前記遠心ファンを通過する空気の流動を前記吐出口側に導くように、前記吐出口に向かって傾斜する傾斜部を有する除湿機を提供する。【選択図】図５
2008019850.tif 000002
【特許請求の範囲】
【請求項１】
吸入口及び吐出口を有する本体と、空気の循環のために前記本体の内部に設置される遠心ファンと、を備える除湿機であって、
前記遠心ファンは、ファンモーターに結合して回転するファンディスクを備え、
前記ファンディスクは、前記遠心ファンを通過する空気の流動を前記吐出口側に導くように、前記吐出口に向かって傾斜する傾斜部を有することを特徴とする除湿機。
【請求項２】
前記ファンディスクは、前記ファンモーターとの結合のためのモーター装着部をさらに備え、
前記傾斜部は、前記モーター装着部から半径方向に向かって延在されていることを特徴とする請求項１に記載の除湿機。
【請求項３】
前記傾斜部は、前記モーター装着部に連結される第１傾斜部と、前記第１傾斜部から前記吐出口側に折り曲げられて延在する第２傾斜部とを備えることを特徴とする請求項２に記載の除湿機。
【請求項４】
前記遠心ファンは、前記傾斜部の外周に固定されるブレードをさらに備えることを特徴とする請求項１に記載の除湿機。
【請求項５】
前記吐出口は、前記本体の後面両側部にそれぞれ配置され、前記本体の中心から側面に離隔されるにつれて前記本体の内側に向かって傾斜する傾斜吐出部を備えることを特徴とする請求項１に記載の除湿機。
【請求項６】
前記吐出口は、前記傾斜吐出部に連結された状態で前記本体の側面に形成される側面吐出部をさらに備えることを特徴とする請求項５に記載の除湿機。
【請求項７】
前記本体は、前記本体が壁面と隣接して位置する場合に、前記吐出口と壁面との間に一定の間隔が保たれるように、前記本体の外方に向かって突出した突出部を備えることを特徴とする請求項１に記載の除湿機。
【請求項８】
前記吸入口は、前記本体の前面両側部にそれぞれ形成されることを特徴とする請求項１に記載の除湿機。
【請求項９】
前記本体の内部空間に装着され、且つ、前記吸入口から吸入された室内空気から水分を除去する熱交換器をさらに備えることを特徴とする請求項１に記載の除湿機。
【請求項１０】
前記熱交換器は、前記室内空気から熱を吸収し、水分を凝結させる蒸発器と、前記蒸発器を通過した空気に熱を提供する凝縮器と、を備えることを特徴とする請求項９に記載の除湿機。
【請求項１１】
前記吸入口は、吸入された室内空気中の異物を除去するフィルターが前記吸入口内部にそれぞれ装着された２つの吸入口から成ることを特徴とする請求項１に記載の除湿機。
【請求項１２】
本体と、前記本体の後面両側部にそれぞれ形成される吐出口と、空気の循環のために前記本体の内部に設置される遠心ファンと、を備え、
前記遠心ファンは、ファンモーターとの結合のためのモーター装着部と、前記モーター装着部から半径方向へ延在し、空気の流動を前記吐出口側に自然に導くように前記吐出口に向かって傾斜する傾斜部と、前記傾斜部に設置されるブレードと、を備えることを特徴とする除湿機。
【請求項１３】
空気の循環のために除湿機の内部に装着される遠心送風機であって、
ファンモーターと、前記ファンモーターに結合して回転するファンディスクと、を備えている遠心送風機において、
前記ファンディスクは、空気流動を除湿機の吐出口側に導くように除湿機の吐出口に向かって傾斜する傾斜部を備えることを特徴とする除湿機用遠心送風機。
【請求項１４】
前記ファンディスクは、前記ファンモーターとの結合のためのモーター装着部をさらに備え、前記傾斜部は、前記モーター装着部から半径方向に延在していることを特徴とする請求項１３に記載の除湿機用遠心送風機。
【請求項１５】
互いに異なる角度で空気を流入する少なくとも２つの吸入口を備える前面部と、互いに異なる角度で空気を排出する少なくとも２つの吐出口を備える後面部と、を有する本体と、
空気が前記少なくとも２つの吐出口から排出される前に、前記本体内で空気を除湿する熱交換ユニットと、
を備える除湿機。
【請求項１６】
前記熱交換ユニットと前記少なくとも２つの吐出口との間に配置されて、前記少なくとも２つの吸入口及び熱交換ユニットから空気を吸入し、熱交換された空気を前記少なくとも２つの吐出口のそれぞれに拡散させる送風装置をさらに備えることを特徴とする請求項１５に記載の除湿機。
【請求項１７】
前記送風装置は、
中央部から前記本体の後方に向かって曲面状に延在するディスク形状部と、
前記送風装置の中央に配置されて、モーターと結合するモーター結合部と、
前記ディスク形状部の外周に沿って延長され、除湿された空気を前記ディスク形状部に対して軸方向に前記送風装置に引き込むとともに、前記除湿された空気を前記ディスク形状部の表面に沿って前記少なくとも２つの吐出口に向かって半径方向に吐出すように配列されたブレードと、
を備えることを特徴とする請求項１６に記載の除湿機。
【請求項１８】
本体の後面部に互いに異なる角度で配置された吸入口から室内空気を吸入し、
前記室内空気を第１方向に熱交換器に通過させて、空気中の水分を除去し、
前記熱交換器を通過する空気を、前記第１方向以外の複数の方向に向かって吐出し、前記本体の前面部に互いに異なる角度で配置された複数の吐出口から排出させることを特徴とする空気除湿方法。
【請求項１９】
前記室内空気が前記熱交換器を通過する場合には、空気を凝縮器に通過させ室内空気に熱を提供した後に、蒸発器を通過させ室内空気から熱を吸収して、水分を凝結させることを特徴とする請求項１８に記載の方法。
【請求項２０】
前記室内空気を前記吸入口から導入する場合には、該空気がフィルターを通過し、室内空気中の異物が除去されることを特徴とする請求項１８に記載の方法。
【発明の詳細な説明】
【技術分野】
【０００１】
本発明は、遠心送風機を有する除湿機に関する。より詳しくは、遠心ファンの構造を改善して送風性能を向上させた除湿機に関する。
【背景技術】
【０００２】
除湿機は、冷媒の蒸発、凝縮過程で生じる熱の移動を用いて空気中の湿気を除去する装置である。除湿機は、室内空気を循環させるための送風ファンを有しており、特にこのような送風ファンとしてターボファンを用いて望む風量を吹き込んだ場合には、軸流ファンを使用する時に比べて騒音が低減する。
【０００３】
図１に示す、ターボファンが適用された従来の除湿機は、前記除湿機の前面に吐出口１ｂが形成され、且つ、前記除湿機の後面に吸入口１ａが形成されたキャビネット１と、室内空気を強制流動させるためにキャビネット１の内部に設置されるターボファン３と、吸入口１ａとターボファン３との間に配置され、熱交換によって空気中の水分を除去する蒸発器４と、を備えている（例えば、特許文献１）。
【０００４】
図１に、このような除湿機における空気の流動方向を示す。ファンモーター２によってターボファン３が回転すると、室内空気が吸入口１ａから吸入され、室内空気中の水分は蒸発器４と凝縮器５を通って除去される。蒸発器４と凝縮器５とを通過した空気は、ターボファン３を経てターボファン３の半径方向に吐出される。
【特許文献１】大韓民国特許出願公開第２００２−１２７６８号明細書
【発明の開示】
【発明が解決しようとする課題】
【０００５】
しかしながら、従来の除湿機は、ターボファン３から半径方向へ吐出される空気が吐出口１ｂに自然に導かれず、キャビネット１の側面に衝突する構造となっているため、除湿機内に大きな送風抵抗が発生し送風効率が低下して、流動騒音が発生するという問題点があった。このような問題点は、製品の小型化のためにターボファン３の吐出側とキャビネット１間の空間を広く確保できない場合に、より深刻化する。
【０００６】
本発明は、上記問題点を解決するためのものである。本発明の目的は、遠心送風機の構造を改善することによって、除湿機の送風性能を向上させ且つ騒音を低減することができる除湿機を提供することにある。
【課題を解決するための手段】
【０００７】
上記目的を達成する本発明に係る除湿機は、吸入口及び吐出口を有する本体と、空気の循環のために前記本体の内部に設置される遠心ファンとを備える除湿機において、前記遠心ファンは、ファンモーターに結合して回転するファンディスクを備え、前記ファンディスクは、前記遠心ファンを通過する空気の流動を前記吐出口側に導くように、前記吐出口に向かって傾斜する傾斜部を有することを特徴とする。
【０００８】
前記ファンディスクは、前記ファンモーターとの結合のためのモーター装着部をさらに備え、前記傾斜部は、前記モーター装着部から半径方向に延在している。
【０００９】
前記傾斜部は、前記モーター装着部に連結される第１傾斜部と、前記第１傾斜部から前記吐出口側に折り曲げられて延在する第２傾斜部と、を備え得る。
【００１０】
なお、前記遠心ファンは、前記傾斜部の外周に固定されるブレードをさらに備える。
【００１１】
前記吐出口は、前記本体の後面両側部にそれぞれ配置され、前記本体の中心から前記本体の側面に離隔されるにつれて、前記本体の内側に向かって傾斜する傾斜吐出部と、前記傾斜吐出部に連結された状態で前記本体の側面に形成される側面吐出部とからなる。
【００１２】
前記本体は、前記本体が壁面と隣接して位置する時、前記吐出口と壁面との間に一定の間隔が保たれるように、外側に突出した突出部を備えることができる。
【００１３】
前記吸入口は、前記本体の前面両側部にそれぞれ形成されることができる。
【００１４】
上記除湿機は、前記本体の内部空間に装着され、前記吸入口から吸入される室内空気から水分を除去する熱交換器をさらに備えることができる。
【００１５】
前記熱交換器は、前記室内空気から熱を吸収し、水分を凝結させる蒸発器と、前記蒸発器を通過した空気に熱を提供する凝縮器と、を備えることができる。
【００１６】
前記吸入口は、吸入される室内空気中の異物を除去するフィルターが内部にそれぞれ装着された２つの吸入口からなる。
【００１７】
また、本発明における除湿機は、本体と、前記本体の後面両側部にそれぞれ形成される吐出口と、空気の循環のために前記本体の内部に設置される遠心ファンと、備え、前記遠心ファンは、ファンモーターとの結合のためのモーター装着部と、前記モーター装着部から半径方向へ延在し、空気の流動を前記吐出口側に自然に導くように前記吐出口に向かって傾斜する傾斜部と、前記傾斜部に設置されるブレードと、を備えることを特徴とする。
【００１８】
また、本発明における除湿機用遠心送風機は、空気の循環のために除湿機の内部に装着される遠心送風機であって、ファンモーターと、前記ファンモーターに結合して回転するファンディスクとを備え、前記ファンディスクは、空気流動を除湿機の吐出口側に導くように除湿機の吐出口に向かって傾斜する傾斜部を備えることを特徴とする。
【００１９】
また、本発明における除湿機は、互いに異なる角度で空気を流入する少なくとも２つの吸入口を備える前面部と、互いに異なる角度で空気を排出する少なくとも２つの吐出口を備える後面部と、を有する本体と、空気が前記少なくとも２つの吐出口から排出される前に、前記本体内で空気を除湿する熱交換ユニットと、を備えることを特徴とする。
【００２０】
上記除湿機は、前記熱交換ユニットと前記少なくとも２つの吐出口との間に配置されて、前記少なくとも２つの吸入口及び熱交換ユニットから空気を引き込み、熱交換された空気を前記少なくとも２つの吐出口のそれぞれに向かって拡散させる送風装置をさらに備えることを特徴とする。
【００２１】
前記送風装置は、中央部から前記本体の後方に向かって曲面状に延在するディスク形状部と、前記送風装置の中央に配置されて、モーターと結合するモーター結合部と、前記ディスク形状部の外周部に半径方向に沿って略等角とされる放射状に延在され、除湿された空気を前記ディスク形状部に対して軸方向に前記送風装置に吸入すると同時に、前記除湿された空気を前記ディスク形状部の表面に沿って前記少なくとも２つの吐出口に向かって半径方向に吐出するように配列されたブレードと、を備えることを特徴とする。
【００２２】
また、本発明に係る空気除湿方法は、本体の後面部に互いに異なる角度で配置された吸入口から室内空気を導入し、前記室内空気を第１方向に熱交換器に通過させて、空気中の水分を除去し、前記熱交換器を通過した空気を、前記第１方向以外の複数の方向に向かって吐出し、前記本体の前面部に互いに異なる角度で配置された複数の吐出口から排出させることを特徴とする。
【００２３】
ここで、前記室内空気を前記熱交換器を通過させる際に、空気を凝縮器に通過させ室内空気に熱を提供した後、蒸発器を通過させ室内空気から熱を吸収し、水分を凝結させることができる。また、前記室内空気が前記吸入口から導入された際に、前記室内空気がフィルターを通過して、室内空気中の異物が除去され得る。
【発明の効果】
【００２４】
本発明によれば、遠心ファンを通過する空気が吐出口側に自然に導かれるようにしたため、遠心送風機の送風効率を向上させ、且つ、流動騒音を低減させることが可能になる。
【００２５】
さらに、本発明によれば、遠心送風機の送風特性を考慮して吐出口の位置及び構造を改善したため、遠心送風機から吐出される空気が送風抵抗を大きく受けることなく室内に円滑に排出されることが可能になる。
【００２６】
なお、本発明によれば、本体の前・後方へ突出する突出部を備えたため、除湿機が壁面に隣接して位置する場合にも、壁面によって吸入口と吐出口が塞がらず、送風動作を円滑にすることが可能になる。
【発明を実施するための最良の形態】
【００２７】
以下に、本発明における好適な実施例について、添付図面を参照し詳細に説明する。図面全体において、同一の構成要素は、可能な限り同一の参照番号及び符号を共通して使用するものとする。
【００２８】
図２は、本発明の一実施例による除湿機の外観を示す斜視図である。図３は、本発明の一実施例による除湿機の構成を示す側面図である。図４は、本発明の一実施例による除湿機における遠心ファンを示す斜視図である。
【００２９】
図２及び図３に示すように、除湿機は、室内空気が吸入される吸入口１１及び室内空気が吐出される吐出口１２を有している本体１０と、吸入口１１から吸入される空気と熱交換して空気中の水分を除去できるように本体１０の内部に設置された熱交換器２０と、室内空気の循環のために熱交換器２０の後方に配置される遠心送風機１００と、除湿過程で生じる凝縮水を収集できるように熱交換器２０の下方に位置する水桶３０と、を備える。
【００３０】
吸入口１１は、本体１０の前面両側部にそれぞれ形成されている。吸入口１１の内側には、吸入される空気中に含まれている異物をろ過するフィルター１３が取り付けられている。吐出口１２は、本体１０の後面１０ａの両側部にそれぞれ配置され、本体１０の中心から側方（側面１０ｂ側）に離隔されるにつれて、本体１０の内側に向かって傾斜する傾斜吐出部１２ａと、傾斜吐出部１２ａに連結された状態で本体１０の側面１０ｂの一側に形成される側面吐出部１２ｂと、を備えて構成される。本体１０の後面１０ａの両側部に形成される吐出口１２を傾斜させて、本体１０の側面１０ｂの一側に吐出口１２を形成したのは、遠心送風機１００の送風特性を考慮したためである。すなわち、遠心送風機１００は、空気を送風機の半径方向、すなわち、本体１０の側面１０ｂに向かって吐出するという送風特性を考慮したためである。図２のように、後面１０ａに形成される吐出口１２ａが本体１０の内側に向かって傾斜するようにし、同時に側面１０ｂの一側にも吐出口１２ｂを形成すると、遠心送風機１００から吐出された空気が、送風抵抗を大きく受けることなく室内に円滑に排出され得る。
【００３１】
一方、本体１０は、吐出口１２同士間において本体１０の後方へ突出する第１突出部１４を備えている。第１突出部１４は、本体１０が壁面に隣接して位置する場合に、吐出口１２と壁面間に一定の間隔を保たせることにより、吐出口１２が壁面によって塞がれることを防止する機能を担っている。同様に、吸入口１１同士間には、本体１０の前方へ突出する第２突出部１５が形成されている。
【００３２】
本体１０の内部空間は、中間隔板１６を介して前後方向に区画され、中間隔板１６の前方内部には熱交換器２０と水桶３０がそれぞれ配置され、中間隔板１６の後方内部には冷媒を高温・高圧に圧縮する圧縮機１７が配置される。中間隔板１６の上側には、空気が流動できるように送風口１６ａが形成され、この送風口１６ａには遠心送風機１００が装着される。
【００３３】
熱交換器２０と水桶３０との間の一側には、排水口１８ａを持つドレインファン１８が設置される。ドレインファン１８は、熱交換器２０から落ちる凝縮水を収集して、その下部に配置された水桶３０に排出する。
【００３４】
熱交換器２０は、吸入口１１の後方に配置されて、吸入口１１から吸入される室内空気中の熱を吸収すると同時に、水分を凝結させる蒸発器２１と、蒸発器２１の後方に配置されて蒸発器２１を通過した空気に熱を提供する凝縮器２２とにより構成されている。
【００３５】
遠心送風機１００は、モーターマウント１９を介して中間隔板１６に固定されるファンモーター２００と、ファンモーター２００によって回転されて空気の流動を引き起こす遠心ファン３００とを備える状態で構成されている。
【００３６】
図３及び図４に示すように、遠心ファン３００は、ファンモーター２００に結合され回転するファンディスク３１０と、ファンディスク３１０の前面外周部に設置される複数のブレード３２０と、ブレード３２０の前端部に設置され、その中央に空気の吸入のための開口３３１が形成されたシュラウド３３０とを有する。このような遠心ファン３００がファンモーター２００によって回転すると、シュラウド３３０の開口３３１を介して軸方向に空気が吸入され、半径方向に空気が吐出される。
【００３７】
特に、本発明に係るファンディスク３１０は、吐出口１２に向かって傾斜する傾斜部３１１を有する。このような傾斜部３１１は、遠心ファン３００を通過する空気の流動を吐出口１２側に自然に導き、遠心ファン３００から吐出される空気が大きい抵抗を受けることなく本体１０から円滑に排出されるようにする。
【００３８】
さらには、ファンディスク３１０は、ファンモーター２００との結合のためのモーター装着部３１２を有している。このモーター装着部３１２から半径方向にファンディスク３１０の傾斜部３１１が延在している。この場合においては、ブレード３２０は傾斜部３１１の外周に沿って配列される。一方、ファンモーター２００は、シュラウド３３０の開口３３１を介してファンディスク３１０のモーター装着部３１２に装着される。
【００３９】
傾斜部３１１は、モーター装着部３１２から送風ファン３００の後方に緩やかに傾斜されている第１傾斜部３１１ａと、第１傾斜部３１１ａから吐出口１２側へ折り曲げられた状態で所定長さで延在している第２傾斜部３１１ｂとから構成されている。第２傾斜部３１１ｂによって、第１傾斜部３１１ａを通過する空気は、遠心ファン３００から吐出される際に、吐出口１２に向かって拡散された状態で流動する。
【００４０】
以下、図３及び図５を参照して、本発明における除湿機の動作について説明する。図５は、本発明による除湿機の動作説明図である。
【００４１】
除湿機の動作が開始されると、ファンモーター２００によって遠心ファン３００が回転した状態となり、吸入口１１から室内空気が吸入される。この室内空気は、蒸発器２１を通過する際に蒸発器２１と熱交換して冷却され、空気中の水分は凝縮され蒸発器２１の下部に配置されたドレインファン１８に収集される。その後、蒸発器２１を通過した空気は、凝縮器２２を通過する際に熱が供給され、シュラウド３３０の開口３３１から遠心ファン３００の内部に吸入される。
【００４２】
遠心ファン３００の内部に流入した空気は、ファンディスク３１０の傾斜部３１１によって導かれて、本体１０に形成された吐出口１２側に向かって流動する。従って、遠心ファン３００から吐出された空気は、大きな抵抗を受けずに吐出口１２から排出され、その結果、送風効率が向上し且つ騒音が低減することになる。
【００４３】
一方、ドレインファン１８に収集された凝縮水は、排水口１８ａから水桶３０に排出されて水桶３０に貯蔵される。
【図面の簡単な説明】
【００４４】
【図１】ターボファンが適用された従来除湿機における空気の流動方向を示す平断面図である。
【図２】本発明による除湿機の外観を示す斜視図である。
【図３】本発明による除湿機の構成を示す側断面図である。
【図４】本発明による除湿機において遠心ファンを示す斜視図である。
【図５】本発明による除湿機の動作説明図である。
【符号の説明】
【００４５】
１０  本体
１１  吸入口
１２  吐出口
２０  熱交換器
３０  水桶
１００  遠心送風機
２００  ファンモーター
３００  遠心ファン
３１０  ファンディスク
３１１  傾斜部
３１２  モーター装着部
３２０  ブレード
【図１】
2008019850.tif 000003
【図２】
2008019850.tif 000004
【図３】
2008019850.tif 000005
【図４】
2008019850.tif 000006
【図５】
2008019850.tif 000007